【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
モバイルデバイスの高度を判断するための方法であって、前記モバイルデバイスにおいて、
前記モバイルデバイスに供給された環境センサーを介して取得された第１の測定値と前記モバイルデバイスのロケーションとを示す環境報告を生成することと、
遠隔デバイスに前記環境報告を送信することと、
異なる時点で、前記遠隔デバイスから基準データ報告を受信することと、前記基準データ報告が前記環境報告に少なくとも一部基づく、
前記環境センサーを使用して、第２の測定値を取得することと、
前記基準データ報告と前記第２の測定値とに少なくとも一部基づいて、前記モバイルデバイスの前記高度および前記モバイルデバイスに関する較正パラメータを判断することと
を備え、
前記環境センサーが気圧計を備え、
前記第１の測定値および／または前記第２の測定値のうちの少なくとも１つが局所大気圧に少なくとも一部基づく、
方法。
【請求項２】
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、請求項１に記載の方法。
【請求項３】
前記環境報告が、特定の環境に対応するユーザ供給観測に少なくとも一部基づく、請求項１に記載の方法。
【請求項４】
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、請求項１に記載の方法。
【請求項５】
前記モバイルデバイスの前記ロケーションが、高度成分および相対高度成分のうちの少なくとも１つを備える、請求項１に記載の方法。
【請求項６】
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、請求項５に記載の方法。
【請求項７】
前記モバイルデバイスに関する前記較正パラメータを判断することが、
前記モバイルデバイスに関する測定された高度にさらに少なくとも一部基づいて、前記モバイルデバイスに関する前記較正パラメータを判断すること
をさらに備える、請求項１に記載の方法。
【請求項８】
前記測定された高度が、アシスト型全地球航法衛星システム（Ａ−ＧＮＳＳ）、および／または地形図もしくは等高線図のうちの少なくとも１つを使用して少なくとも一部判断される、請求項７に記載の方法。
【請求項９】
モバイルデバイスの高度を判断するための装置であって、
前記モバイルデバイスに供給された環境センサーを介して取得された第１の測定値と前記モバイルデバイスのロケーションとを示す環境報告を生成するための手段と、
遠隔デバイスに前記環境報告を送信するための手段と、
異なる時点で、前記遠隔デバイスから基準データ報告を受信するための手段と、前記基準データ報告が前記環境報告に少なくとも一部基づく、
前記環境センサーを使用して、第２の測定値を取得するための手段と、
前記基準データ報告と前記第２の測定値とに少なくとも一部基づいて、前記モバイルデバイスの前記高度および前記モバイルデバイスに関する較正パラメータを判断するための手段と
を備え、
前記環境センサーが気圧計を備える、
装置。
【請求項１０】
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、請求項９に記載の装置。
【請求項１１】
前記環境報告が、特定の環境に対応するユーザ供給観測に少なくとも一部基づく、請求項９に記載の装置。
【請求項１２】
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、請求項９に記載の装置。
【請求項１３】
前記モバイルデバイスの前記ロケーションが、高度成分および相対高度成分のうちの少なくとも１つを備え、および、オプションで、
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、
請求項９に記載の装置。
【請求項１４】
前記モバイルデバイスに関する前記較正パラメータを判断するための前記手段が、
前記モバイルデバイスに関する測定された高度にさらに少なくとも一部基づいて、前記モバイルデバイスに関する前記較正パラメータを判断するための手段
をさらに備え、および、オプションで、
前記測定された高度が、アシスト型全地球航法衛星システム（Ａ−ＧＮＳＳ）、および／または地形図もしくは等高線図のうちの少なくとも１つを使用して少なくとも一部判断される、
請求項１２に記載の装置。
【請求項１５】
請求項１乃至８のうちのいずれか１項の方法を実行するためにモバイルデバイスの処理ユニットによって実行可能なコンピュータ実装可能命令を記憶した非一時的コンピュータ可読媒体。
【手続補正２】
【補正対象書類名】明細書
【補正対象項目名】０１１８
【補正方法】変更
【補正の内容】
【０１１８】
[00118]したがって、特許請求される主題は、開示された特定の例に限定されず、そのような特許請求される主題は、添付の特許請求の範囲の中に入るすべての態様、およびその等価物も含み得るものとする。
以下に本願発明の当初の特許請求の範囲に記載された発明を付記する。
［Ｃ１］
モバイルデバイスの高度を判断するための方法であって、前記モバイルデバイスにおいて、
前記モバイルデバイスに供給された環境センサーを介して取得された第１の測定値と前記モバイルデバイスのロケーションとを示す環境報告を生成することと、
遠隔デバイスに前記環境報告を送信することと、
異なる時点で、前記遠隔デバイスから基準データ報告を受信することと、
前記環境センサーを使用して、第２の測定値を取得することと、
前記基準データ報告と前記第２の測定値とに少なくとも一部基づいて、前記モバイルデバイスの前記高度および／または前記モバイルデバイスに関する較正パラメータのうちの少なくとも１つを判断することと
を備える方法。
［Ｃ２］
前記環境センサーが気圧計を備える、Ｃ１に記載の方法。
［Ｃ３］
前記第１の測定値および／または前記第２の測定値のうちの少なくとも１つが局所大気圧に少なくとも一部基づく、Ｃ１に記載の方法。
［Ｃ４］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ１に記載の方法。
［Ｃ５］
前記環境報告が、特定の環境に対応するユーザ供給観測に少なくとも一部基づく、Ｃ１に記載の方法。
［Ｃ６］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ１に記載の方法。
［Ｃ７］
前記モバイルデバイスの前記ロケーションが、高度成分および相対高度成分のうちの少なくとも１つを備える、Ｃ１に記載の方法。
［Ｃ８］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ７に記載の方法。
［Ｃ９］
前記モバイルデバイスに関する前記較正パラメータを判断することが、
前記モバイルデバイスに関する測定された高度にさらに少なくとも一部基づいて、前記モバイルデバイスに関する前記較正パラメータを判断することをさらに備える、Ｃ１に記載の方法。
［Ｃ１０］
前記測定された高度が、アシスト型全地球航法衛星システム（Ａ−ＧＮＳＳ）、および／または地形図もしくは等高線図のうちの少なくとも１つを使用して少なくとも一部判断される、Ｃ９に記載の方法。
［Ｃ１１］
前記基準データ報告が前記環境報告に少なくとも一部基づく、Ｃ１に記載の方法。
［Ｃ１２］
モバイルデバイスの高度を判断するための装置であって、
前記モバイルデバイスに供給された環境センサーを介して取得された第１の測定値と前記モバイルデバイスのロケーションとを示す環境報告を生成するための手段と、
遠隔デバイスに前記環境報告を送信するための手段と、
異なる時点で、前記遠隔デバイスから基準データ報告を受信するための手段と、
前記環境センサーを使用して、第２の測定値を取得するための手段と、
前記基準データ報告と前記第２の測定値とに少なくとも一部基づいて、前記モバイルデバイスの前記高度および／または前記モバイルデバイスに関する較正パラメータのうちの少なくとも１つを判断するための手段と
を備える、装置。
［Ｃ１３］
前記環境センサーが気圧計を備える、Ｃ１２に記載の装置。
［Ｃ１４］
前記第１測定値および／または前記第２の測定値のうちの少なくとも１つが局所大気圧に少なくとも一部基づく、Ｃ１２に記載の装置。
［Ｃ１５］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ１２に記載の装置。
［Ｃ１６］
前記環境報告が、特定の環境に対応するユーザ供給観測に少なくとも一部基づく、Ｃ１２に記載の装置。
［Ｃ１７］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ１２に記載の装置。
［Ｃ１８］
前記モバイルデバイスの前記ロケーションが、高度成分および相対高度成分のうちの少なくとも１つを備える、Ｃ１２に記載の装置。
［Ｃ１９］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ１８に記載の装置。
［Ｃ２０］
前記モバイルデバイスに関する前記較正パラメータを判断するための前記手段が、
前記モバイルデバイスに関する測定された高度にさらに少なくとも一部基づいて、前記モバイルデバイスに関する前記較正パラメータを判断するための手段をさらに備える、Ｃ１２に記載の装置。
［Ｃ２１］
前記測定された高度が、アシスト型全地球航法衛星システム（Ａ−ＧＮＳＳ）、および／または地形図もしくは等高線図のうちの少なくとも１つを使用して少なくとも一部判断される、Ｃ２０に記載の装置。
［Ｃ２２］
前記基準データ報告が前記環境報告に少なくとも一部基づく、Ｃ１２に記載の装置。
［Ｃ２３］
モバイルデバイスであって、
環境センサーと、
ネットワークインターフェースユニットと、
前記環境センサーを介して取得された第１の測定値と前記モバイルデバイスのロケーションとを示す環境報告を生成し、
前記ネットワークインターフェースユニットを介した遠隔デバイスに対する前記環境報告の送信を開始し、
異なる時点で、前記ネットワークインターフェースユニットを介して前記遠隔デバイスから基準データ報告を受信し、
前記環境センサーを介して第２の測定値を取得し、
前記基準データ報告と前記第２の測定値とに少なくとも一部基づいて、前記モバイルデバイスの高度および／または前記モバイルデバイスに関する較正パラメータのうちの少なくとも１つを判断する
ための処理ユニットと
を備えるモバイルデバイス。
［Ｃ２４］
前記環境センサーが気圧計を備える、Ｃ２３に記載のモバイルデバイス。
［Ｃ２５］
前記第１の測定値および／または前記第２の測定値のうちの少なくとも１つが局所大気圧に少なくとも一部基づく、Ｃ２３に記載のモバイルデバイス。
［Ｃ２６］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ２３に記載のモバイルデバイス。
［Ｃ２７］
前記環境報告が、特定の環境に対応するユーザ供給観測に少なくとも一部基づく、Ｃ２３に記載のモバイルデバイス。
［Ｃ２８］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ２３に記載のモバイルデバイス。
［Ｃ２９］
前記モバイルデバイスの前記ロケーションが、高度成分および相対高度成分のうちの少なくとも１つを備える、Ｃ２３に記載のモバイルデバイス。
［Ｃ３０］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ２９に記載のモバイルデバイス。
［Ｃ３１］
前記処理ユニットはさらに、
前記モバイルデバイスに関する測定された高度にさらに少なくとも一部基づいて、前記モバイルデバイスに関する前記較正パラメータを判断する、Ｃ２３に記載のモバイルデバイス。
［Ｃ３２］
前記測定された高度が、アシスト型全地球航法衛星システム（Ａ−ＧＮＳＳ）、および／または地形図もしくは等高線図のうちの少なくとも１つを使用して少なくとも一部判断される、Ｃ３１に記載のモバイルデバイス。
［Ｃ３３］
前記基準データ報告が前記環境報告に少なくとも一部基づく、Ｃ２３に記載のモバイルデバイス。
［Ｃ３４］
モバイルデバイスに供給された環境センサーを介して取得された第１の測定値と、前記モバイルデバイスのロケーションとを示す環境報告を生成し、
遠隔デバイスに対する前記環境報告の送信を開始し、
異なる時点で、前記遠隔デバイスから基準データ報告を受信し、
前記環境センサーを使用して、第２の測定値を取得し、
前記基準データ報告と前記第２の測定値とに少なくとも一部基づいて、前記モバイルデバイスの高度および／または前記モバイルデバイスに関する較正パラメータのうちの少なくとも１つを判断する
ための、モバイルデバイスの処理ユニットによって実行可能なコンピュータ実装可能命令を記憶した非一時的コンピュータ可読媒体
を備える物品。
［Ｃ３５］
前記環境センサーが気圧計を備える、Ｃ３４に記載の物品。
［Ｃ３６］
前記第１の測定値および／または前記第２の測定値のうちの少なくとも１つが局所大気圧に少なくとも一部基づく、Ｃ３４に記載の物品。
［Ｃ３７］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの前記高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ３４に記載の物品。
［Ｃ３８］
前記環境報告が、特定の環境に対応するユーザ供給観測に少なくとも一部基づく、Ｃ３４に記載の物品。
［Ｃ３９］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ３４に記載の物品。
［Ｃ４０］
前記モバイルデバイスの前記ロケーションが、高度成分および相対高度成分のうちの少なくとも１つを備える、Ｃ３４に記載の物品。
［Ｃ４１］
前記高度成分が、アシスト型全地球航法衛星（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、慣性センサー、および／または地形図もしくは等高線図のうちの少なくとも１つを使用して少なくとも一部判断される、Ｃ４０に記載の物品。
［Ｃ４２］
前記モバイルデバイスに関する測定された高度にさらに少なくとも一部基づいて、前記モバイルデバイスに関する前記較正パラメータを判断する
ためのコンピュータ実装可能命令をさらに備える、Ｃ３４に記載の物品。
［Ｃ４３］
前記測定された高度が、アシスト型全地球航法衛星システム（Ａ−ＧＮＳＳ）、および／または地形図もしくは等高線図のうちの少なくとも１つを使用して少なくとも一部判断される、Ｃ４２に記載の物品。
［Ｃ４４］
前記基準データ報告が前記環境報告に少なくとも一部基づく、Ｃ３４に記載の物品。
［Ｃ４５］
電子デバイスにおいて、
モバイルデバイスから環境報告を受信することと、前記環境報告は、前記モバイルデバイスに供給された環境センサーを介して取得された測定値と前記モバイルデバイスのロケーションとを示し、
前記環境報告に少なくとも一部基づいて、基準データ報告を生成することと、前記基準データ報告は、前記モバイルデバイスの前記ロケーションに対応する特定の環境の基準高度に対応する基準大気圧を示し、
前記モバイルデバイスに前記基準データ報告を送信することと
を備える方法。
［Ｃ４６］
前記環境センサーが気圧計を備え、前記測定値が局所大気圧に少なくとも一部基づく、Ｃ４５に記載の方法。
［Ｃ４７］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ４５に記載の方法。
［Ｃ４８］
前記環境報告が、前記特定の環境に対応するユーザ供給観測に少なくとも一部基づく、Ｃ４５に記載の方法。
［Ｃ４９］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）のうちの少なくとも１つを使用して少なくとも一部判断される、Ｃ４５に記載の方法。
［Ｃ５０］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ４５に記載の方法。
［Ｃ５１］
モバイルデバイスから環境報告を受信するための手段と、前記環境報告は、前記モバイルデバイスに供給された環境センサーを介して取得された測定値と前記モバイルデバイスのロケーションとを示し、
前記環境報告に少なくとも一部基づいて、基準データ報告を生成するための手段と、前記基準データ報告は、前記モバイルデバイスの前記ロケーションに対応する特定の環境の基準高度に対応する基準大気圧を示し、
前記モバイルデバイスに前記基準データ報告を送信するための手段と
を備える装置。
［Ｃ５２］
前記環境センサーが気圧計を備え、前記測定値が局所大気圧に少なくとも一部基づく、Ｃ５１に記載の装置。
［Ｃ５３］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ５１に記載の装置。
［Ｃ５４］
前記環境報告が、前記特定の環境に対応するユーザ供給観測に少なくとも一部基づく、Ｃ５１に記載の装置。
［Ｃ５５］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ５１に記載の装置。
［Ｃ５６］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ５１に記載の装置。
［Ｃ５７］
ネットワークインターフェースユニットと、
前記ネットワークインターフェースユニットを介してモバイルデバイスから環境報告を受信することと、前記環境報告は、前記モバイルデバイスに供給された環境センサーを介して取得された測定値と前記モバイルデバイスのロケーションとを示し、
前記環境報告に少なくとも一部基づいて、基準データ報告を生成することと、前記基準データ報告は、前記モバイルデバイスの前記ロケーションに対応する特定の環境の基準高度に対応する基準大気圧を示し、
前記ネットワークインターフェースユニットを介した前記モバイルデバイスに対する前記基準データ報告の送信を開始することと
を行うための処理ユニットと
を備えるデバイス。
［Ｃ５８］
前記環境センサーが気圧計を備え、前記測定値が局所大気圧に少なくとも一部基づく、Ｃ５７に記載のデバイス。
［Ｃ５９］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ５７に記載のデバイス。
［Ｃ６０］
前記環境報告が、前記特定の環境に対応するユーザ供給観測に少なくとも一部基づく、Ｃ５７に記載のデバイス。
［Ｃ６１］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ５７に記載のデバイス。
［Ｃ６２］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ５７に記載のデバイス。
［Ｃ６３］
モバイルデバイスから環境報告を受信することと、前記環境報告は、前記モバイルデバイスに供給された環境センサーを介して取得された測定値と前記モバイルデバイスのロケーションとを示し、
前記環境報告に少なくとも一部基づいて、基準データ報告を生成することと、前記基準データ報告は、前記モバイルデバイスの前記ロケーションに対応する特定の環境の基準高度に対応する基準大気圧を示し、
前記モバイルデバイスに対する前記基準データ報告の送信を開始することと
を行うための、電気デバイスの処理ユニットによって実行可能なコンピュータ実装可能命令を記憶した非一時的コンピュータ可読媒体
を備える物品。
［Ｃ６４］
前記環境センサーが気圧計を備え、前記測定値が局所大気圧に少なくとも一部基づく、Ｃ６３に記載の物品。
［Ｃ６５］
前記環境報告が、前記モバイルデバイスの水平位置、前記モバイルデバイスに関する水平位置履歴、前記モバイルデバイスの移動、前記モバイルデバイスに関する移動履歴、前記モバイルデバイスの高度、前記モバイルデバイスに関する高度履歴、前記モバイルデバイスの相対高度、前記モバイルデバイスに関する相対高度履歴、局所大気圧、大気圧履歴、局所大気温度、大気温度履歴、局所大気湿度、大気湿度履歴、屋内環境の表示、屋外環境の表示、屋内と屋外環境との間の大気圧差のうちの少なくとも１つをさらに示す、Ｃ６３に記載の物品。
［Ｃ６６］
前記環境報告が、前記特定の環境に対応するユーザ供給観測に少なくとも一部基づく、Ｃ６３に記載の物品。
［Ｃ６７］
前記モバイルデバイスに関する前記ロケーションが、アシスト型全地球航法衛星システム（Ａ−ＧＮＳＳ）、観測到着時間差（ＯＴＤＯＡ）、アドバンストフォワードリンク三辺測量（ＡＦＬＴ）、拡張セルＩＤ（Ｅ−ＣＩＤ）、および／または慣性センサーのうちの少なくとも１つを使用して少なくとも一部判断される、Ｃ６３に記載の物品。
［Ｃ６８］
前記基準データ報告が、前記基準大気圧に対応する圧力有効領域、前記基準大気圧に対応する圧力有効期間、前記基準大気圧に対応する基準圧力比、前記基準大気圧に対応する方向性圧力勾配、および／または前記基準大気圧に対応する温度のうちの少なくとも１つをさらに示す、Ｃ６３に記載の物品。